(57)【要約】【課題】  それまでの合鍵がなくても鍵違いの切替えを行うことができる可変レバータンブラー錠の鍵違い切替方法を提供する。【解決手段】  各レバータンブラーＢの一端の外形形状を異形とし、一方、その内筒１６の鍵孔に鍵違い切替後に合鍵となる鍵５を挿入した状態で内筒を固定し、その内筒の全タンブラーＢの夫々の一端に対し、内筒中心軸線に関しロッキングバー案内溝１９と反対側から、先端に係止角度位置にあるタンブラーＢの一端と形状係合する凹部１８を形成し、タンブラーとＢと同一平面上にある整列板１７を押し付ける。【選択図】  図４
2005036577.tif 000002
【特許請求の範囲】
【請求項１】
レバータンブラー錠の各レバータンブラーを、略Ｃ字形で相互に重合するタンブラーＡとタンブラーＢとを組合わせたものとする一方、タンブラーの支軸をその両端に突設した偏芯軸の軸線回りを回動できるように支承すると共に、内筒中心軸から離間する方向に付勢し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成し、各係合凹部の支軸回りの形成角度位置を、合鍵の側端縁に形成された複数種類の深さの鍵溝にタンブラーＡの係合部が夫々係合したとき、その係合突起と整合するように設定した可変レバータンブラー錠において、各レバータンブラーＢの一端の外形形状を異形とし、一方、その内筒の鍵孔に鍵違い切替後に合鍵となる鍵を挿入した状態で内筒を固定し、その内筒の全タンブラーＢの夫々の一端に対し、内筒中心軸線に関しロッキングバー案内溝と反対側から、先端に係止角度位置にあるタンブラーＢの一端と形状係合する凹部を形成し、タンブラーとＢと同一平面上にある整列板を押し付けることにより、各タンブラーＢを解錠角度位置までに強制的に回動させると共に各タンブラーＢを対応するタンブラーＡから切り離し、以降整列板群を内筒から離間させることにより、支軸の付勢力によって新しい組合わせの係合突起と係合凹部とを係合させるようにしたことを特徴とする可変レバータンブラー錠の鍵違い切替方法。
【請求項２】
先端に係止角度位置にあるタンブラーＢの一端と形状係合する凹部を形成し、内筒におけるタンブラーＢと同数の整列板を、先端の凹部を揃えた状態で、かつ相互に平行な位置関係を保って、タンブラーＢと同じ間隔で結合してなる可変レバータンブラー錠の鍵違い切替方法に用いる治具。
【発明の詳細な説明】
【技術分野】
【０００１】
この発明は、可変レバータンブラー錠の鍵違い切替方法（以下単に切替方法という）及びその切替方法において用いる治具に関する。
【背景技術】
【０００２】
本出願人は、先に、後記特許文献１〜５を以て、新規な可変レバータンブラー錠を提案した。
【０００３】
これらの可変レバータンブラー錠は、レバータンブラー錠の各レバータンブラーを、略Ｃ字形で相互に重合するタンブラーＡとタンブラーＢとを組合わせたものとする一方、支軸をその両端に突設した偏芯軸の軸線回りを回動できるように支承し、一端を支軸に遊嵌させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成すると共に、係合凹部の形成角度位置を、合鍵の側端縁に形成された複数種類の深さの鍵溝にタンブラーＡの係合部が夫々係合したとき、その係合突起と整合するように設定し、他方、支軸を外方に付勢する一方、内筒の内端部に、内筒の半径方向に移動可能で、外部から操作可能なスイッチ部材を支軸の外側からこれに当接可能に設けたものである。
【０００４】
そして、この発明を理解するためには、上記可変レバータンブラー錠の構造及び鍵違い切替の原理を理解する必要があるが、これらは後記各特許文献に記載されているので、ここでは簡単に説明する。
【０００５】
図１において符号１はレバータンブラーを示し、このレバータンブラー１を、略Ｃ字形で相互に重合するタンブラーＡ１ＡとタンブラーＢ１Ｂとを組合わせたものとする一方、図で上方に付勢された支軸２をその両端に突設した偏芯軸３（図２参照）の軸線回りを回動できるように支承する。
【０００６】
なお、図１においてタンブラーＢ１Ｂにハッチングを施したのはタンブラーＡ１Ａと紛れないようにしただけであって、実際にハッチングが施されているわけではない。図１においてはタンブラーＢ１Ｂが手前側に、タンブラーＡ１Ａはその裏側に配置されている。
【０００７】
また、図１に示すタンブラーＡ１ＡのＣ字形はその開口端が相互に接続されているが、これはタンブラーの剛性を高めるためであって、このようにＣ字形の開口端を接続したものもＣ字形の概念に含めるものとする。
【０００８】
一方、一端を縦長の逃げ孔４を介して支軸２に遊嵌させたタンブラーＡ１Ａには、合鍵５の鍵溝６との係合部７を形成すると共に、これを合鍵５と干渉する方向、図１では反時計方向に付勢し、また、一端を支軸に回動自在に嵌合させたタンブラーＢ１Ｂの自由端部外側端縁に解錠切欠８を形成すると共に、タンブラーＡ１Ａの合鍵側端縁との係合部７と重合する部分を合鍵と干渉しないように成形する。
【０００９】
他方、タンブラーＡ１Ａの自由端部内側縁部のタンブラーＢ１Ｂと対向する側に係合突起９を、また、タンブラーＢ１Ｂの内側縁部には支軸２を中心とする円弧上にタンブラーＡの係合突起９と係合可能な係合凹部１１の複数を夫々形成すると共に、係合凹部１１の形成角度位置を、合鍵５の側端縁に形成された複数種類の深さの鍵溝６にタンブラーＡの係合部が夫々係合したとき、その係合突起と整合するように設定する。
【００１０】
図１は一の合鍵を鍵孔に差込んだ状態を示し、したがって解錠切欠８がロッキングバー１２と角度的に整合している。
【００１１】
この状態で、図２及び図３に示すように、シリンダの内端側から変換ピン１３を挿入して、スイッチ部材１４及び支軸２の内端に嵌装されたスペーサリング１５を介して支軸２に矢印方向、すなわち下向きの力を印加すると、支軸２は偏芯軸３の中心軸ｃの回りを反時計方向に回動する。
【００１２】
なお、図１はタンブラー１をシリンダの内端側から見ているので、図１においては、支軸２は上記中心軸ｃの回りを時計方向に回動する。
【００１３】
その結果、支軸２はタンブラーＡ１Ａの一端に形成された前記縦長の逃げ孔４を遊嵌するので、タンブラーＡを図１の位置に残した状態でタンブラーＢ１１Ｂのみを下降させる（図示せず）。
【００１４】
図１から明らかなように、解錠切欠８とロッキングバー１２とは角度的に整合しているから、上記タンブラーＢ１Ｂの下降は可能であり、タンブラーＡ１Ａの係合突起９は係合凹部１１から抜き外される。
【００１５】
この状態では一の合鍵を抜くことができるので、一の合鍵を鍵孔から抜くと、タンブラーＡ１Ａはその付勢力により図１で反時計方向に回動するが（図示せず）、他の新たな合鍵を挿入することにより、タンブラーＡ１Ａは図１とは異なる新たな角度位置に迄回動する。
【００１６】
この状態で前記変換ピン１３（図３参照）を抜いて支軸２を元の位置に戻すと、タンブラーＢ１Ｂも連れ動いて図１に示す位置に戻り、このとき係合突起は新たな係合凹部と係合するに致り、タンブラーＡ１ＡとタンブラーＢ１Ｂとの係合の態様が前とは異なり、したがって鍵違いを変更することができるのである。
【００１７】
また、図１から明らかなように、各レバータンブラー１の係合部７と解錠切欠８との角度間隔は、通常のレバータンブラー錠においてはタンブラーの形状を変えることによって変化させるが、可変レバータンブラー錠においては係合突起９と係合凹部１１との組合わせを変えることによって変化させることができるので、各内筒１６のタンブラーＡ１ＡとタンブラーＢ１Ｂは全部同じ形状でよい。
【特許文献１】特願２００１−３７９２６８
【特許文献２】特願２００２−０１４２７４
【特許文献３】特願２００２−１１３８６８
【特許文献４】特願２００２−１１９７８１
【特許文献５】特願２００２−１３１５６８
【発明の開示】
【発明が解決しようとする課題】
【００１８】
前記した構造の可変レバータンブラー錠は、任意に鍵違いを切替えることができ安全性において非常に優れているので、パチンコやパチスロ機等の遊技機市場において多用されており、また、近年、マンション等の集合住宅の錠前としても採用され始めている。
【００１９】
しかしながら、上記パチンコ機、パチスロ機等を払い下げ、パチンコ機等のリサイクルを図るとき、合鍵を付けずに払い下げた場合には、払い下げ先において新たな鍵違いを作ることが不可能である。
【００２０】
また、一般の住宅の錠前として使用された場合、合鍵を無くしてしまった場合には、鍵違いを切替える機能を有するにも拘らず、結局専門家を呼ぶか、或いは錠前全体を交換しなければならない。
【００２１】
更にまた、工場においてこの可変レバータンブラー錠を組立るとき、合鍵に合わせてタンブラーを組込むとか、或いは、タンブラーを任意に組込み、シリンダーをくみ上げた後タンブラーを合鍵に合せる作業を行っており、何れにしても組立にかなりの時間を費やしていた。
【００２２】
そこで、この発明は、合鍵がなくても鍵違いの切替えを行うことができる可変レバータンブラー錠の鍵違い切替方法及び治具を提供し、以て上記した不都合を解消することを目的としている。
【課題を解決するための手段】
【００２３】
上記の目的を達成するため、請求項１に記載の切替方法は、レバータンブラー錠の各レバータンブラーを、略Ｃ字形で相互に重合するタンブラーＡとタンブラーＢとを組合わせたものとする一方、タンブラーの支軸をその両端に突設した偏芯軸の軸線回りを回動できるように支承すると共に、内筒中心軸から離間する方向に付勢し、一端に開口した逃げ孔を支軸に遊嵌可能に係合させたタンブラーＡには合鍵の鍵溝との係合部を形成すると共に、これを合鍵と干渉する方向に付勢し、また、一端を支軸に回動自在に嵌合させたタンブラーＢの自由端部外側端縁に解錠切欠を形成すると共に、タンブラーＡの合鍵側端縁との係合部と重合する部分を合鍵と干渉しないように成形し、一方、タンブラーＡの自由端部内側縁部のタンブラーＢと対向する側に係合突起を、また、タンブラーＢの内側縁部には支軸を中心とする円弧上にタンブラーＡの係合突起と係合可能な係合凹部の複数を夫々形成し、各係合凹部の支軸回りの形成角度位置を、合鍵の側端縁に形成された複数種類の深さの鍵溝にタンブラーＡの係合部が夫々係合したとき、その係合突起と整合するように設定した可変レバータンブラー錠において、各レバータンブラーＢの一端の外形形状を異形とし、一方、その内筒の鍵孔に鍵違い切替後に合鍵となる鍵を挿入した状態で内筒を固定し、その内筒の全タンブラーＢの夫々の一端に対し、内筒中心軸線に関しロッキングバー案内溝と反対側から、先端に係止角度位置にあるタンブラーＢの一端と形状係合する凹部を形成し、タンブラーとＢと同一平面上にある整列板を押し付けることにより、各タンブラーＢを解錠角度位置までに強制的に回動させると共に各タンブラーＢを対応するタンブラーＡから切り離し、以降整列板群を内筒から離間させることにより、支軸の付勢力によって新しい組合わせの係合突起と係合凹部とを係合させるようにしたことを特徴とする。
【００２４】
また、請求項２に記載の治具は、先端に解錠角度位置にあるタンブラーＢの一端と形状係合する凹部を形成し、内筒におけるタンブラーＢと同数の整列板を、先端の凹部を揃えた状態で、かつ相互に平行な位置関係を保って、タンブラーＢと同じ間隔で結合したことを特徴とする。
【発明の効果】
【００２５】
請求項１に記載の可変レバータンブラー錠の鍵違い切替方法は、整列板を列設した治具を、内筒の中心軸線に関しロッキングバー案内溝と反対側からタンブラーＢの一端部に押し付けるから、そのときタンブラーＢの一端と整列板の凹部との形状係合によりタンブラーＢを強制的に解錠角度位置に迄回動させ、次いでタンブラーＢを支承する支軸をその付勢力に抗して内筒中心軸線方向に近接する方向に動かし、このときにタンブラーＡとの係合を解いてタンブラーＢを自由にし、治具を今度は内筒から離間させる方向に動かすことにより支軸を自由にし、その支軸の回動により新しい合鍵の鍵溝の深さに対応するタンブラーＡ、Ｂの係合の態様を定め、このようにして治具を単にタンブラーＢの一端に押し付けるだけで、それまでの合鍵が無くても、切替後に合鍵となる鍵のみで鍵違いを切替えることができる。
【００２６】
また、請求項２に記載の治具によれば、内筒の全タンブラーＢに対応する整列板をタンブラーＢ群と同じ間隔で結合したから、一操作で内筒の全タンブラーＢを新しい鍵違いに切替えることができる。
【発明を実施するための最良の形態】
【００２７】
それまでの合鍵が無くても、切替後に合鍵となる鍵のみでその合鍵に対応した鍵違いに切替えるため、タンブラーＢの一端部の外形形状を異形とし、このタンブラーＢの一端部と形状係合をする凹部を先端に形成した整列板をタンブラーＢの一端に押し付けるだけで、従来の可変タンブラー錠の切替方法におけるタンブラーＡ、Ｂの切り離し及びタンブラーＢの解錠角度位置にまでの回動を行うようにした。
【実施例１】
【００２８】
以下、この発明の一実施例を図４を参照して説明する。
図４において符号１７は整列板を示し、この整列板１７の先端（図では下端）には、一端の外形形状が異形（円以外の形状）であるタンブラーＢ１Ｂ（図４参照）と形状係合をなす凹部１８が形成されている。
【００２９】
ここで形状係合をなすとは、異形である凹部１８に異形のタンブラーＢ１Ｂの一端が隙間なく填り合うことをいう。
【００３０】
この発明による可変タンブラー錠の切替方法は次に述べるようにして実施される。
すなわち、一のタンブラー１において、それまでの合鍵の鍵溝形状は図１に示すようなものであったとする。
【００３１】
上記それまでの合鍵５を鍵孔から抜き、例えば対応する部分の鍵溝が図４に示すように一段浅い新しい合鍵を鍵孔に挿入したとすると、図４に示すように、タンブラーＢ１Ｂの解錠切欠８はロッキングバー１２と角度的に整合しなくなる。
【００３２】
そして、図１と比較して、タンブラー１は全体として支軸２の回りを反時計方向に少し回動した状態となる。
【００３３】
この状態からタンブラーＢ１Ｂを図１に示す解錠角度位置に迄回動させ、しかもタンブラーＡ１Ａの係合部７が新しい鍵溝６の底面に当接させるには、整列板１７を図４において下降させる。
【００３４】
換言すれば、内筒１６の中心軸に関しロッキングバー案内溝１９の反対側から、整列板１７をタンブラーＢ１Ｂの一端に向けて押動する。
【００３５】
図４に示す場合には、整列板１７の左側の尖端が先ずタンブラーＢ１Ｂの左方の端縁に当接し、摩擦力によって引き摺り下ろされる態様でタンブラーＢ１Ｂのみが少し下がり、やがてその自由端部外側端縁がロッキングバー１２に当接して停止する。
【００３６】
更に整列板１７が下降すると、その左側の尖端がタンブラーＢ１Ｂに反時計方向の回転モーメントを及ぼし、整列板の凹部１８がタンブラーＢ１Ｂの一端と形状係合するに致ると、タンブラーＢ１Ｂはロッキングバー１２との摩擦に起因する抵抗力に抗して解錠角度位置に迄回動する。
【００３７】
すると、図１に示すように解錠切欠８がロッキングバー１２と角度的に整合するから、整列板１７の更なる下降が可能となり、やがて対応するタンブラーＡ１Ａの係合突起９が係合凹部から抜きはずれ、タンブラーＡ及びＢの相互の係合が一時的に解除される。
【００３８】
その後整列板１７を図４において上昇させると、ロッキングバー１２により解錠角度位置に係止された状態で、タンブラーＢ１Ｂが支軸２の上昇に伴って一体的に上昇する。
【００３９】
そして、新たな合鍵により新たな角度位置に係止されたタンブラーＡ１Ａの係合突起９と、その角度位置に対応するタンブラーＢ１Ｂの係合凹部１１とが相互に係合し、このようにしてそれまでの合鍵無しで、鍵違い切替後合鍵となる鍵のみで鍵違いの切替を行うことができる。
【００４０】
なお、図示の実施例では、整列板１７、内筒の中心軸及び内筒のロッキングバー案内溝が夫々一直線上にあるものとしたが、ロッキングバー案内溝の中心線（通常内筒の中心軸を通る）に対し少し傾いた方向から整列板１７、１７を近接させても良い。
【００４１】
但し、このときには、整列板１７の凹部の形状を少し変更し、傾いた方向からタンブラーＢ１Ｂの一端に近接してもこれと形状係合をするように凹部の形状を設定する。
【００４２】
なお、上記鍵違いの切替は、例えば片手に内筒を、もう一方の片手に整列板を持って行うこともできるが、切替を効率良く行うには例えば図５及び図６に示すような治具及び切替装置を用いると良い。
【００４３】
すなわち、図５及び図６において符号２１は第１ブロックを、符号２２は第２ブロックを夫々示し、これらは一体的に結合されているが、後述する可動ブロックを案内するため、第２ブロックは少し背が低くなっている。
【００４４】
この第２ブロック２２の上方において、これら第１及び第２ブロック２１、２２を図６で左右方向に貫通するようにして、内筒保持孔２３が形成されている。
【００４５】
この内筒保持孔２３は、内筒１６と摺動可能に嵌合し得る内径を有し、内筒のロッキングバー案内溝１９(図４参照)と係合する細いガイド棒２０(図５参照)を内蔵した空洞部で、その図６における右端部には、後述する突き出し棒２４が内筒保持孔２３の軸線に沿って摺動可能に案内されている。
【００４６】
一方、上記第２ブロック２２の上方には可動ブロック２５が配設されており、この可動ブロック２５は、その両側面に設けられたガイド板２６、２６(図６参照)を第２ブロック２２の両側面に形成されたガイド溝２７、２７に摺動可能に係合させることにより、上下方向に移動可能に案内されている。
【００４７】
また、上記ガイド板２６、２６は第２ブロックに中央部を揺動可能に支承された一対のシーソーレバー２８の一端にリンク結合されている。
【００４８】
更にまた、上記シーソーレバー２８の他端は、前端部を第１ブロックに揺動可能に支承された駆動レバー２９の前端にリンク結合されている。
【００４９】
そして、駆動レバー２９、２９の後端にはハンドルバー３１(図６参照)が連結されており、また、第２ブロック２２と可動ブロック２５の間には、図面を明瞭にするため図示を省略する圧縮コイルばねが弾装されている。
【００５０】
そして、可動ブロック２５に外力が作用しない常態においては、上記圧縮コイルばねの弾力により、可動ブロック２５は図５及び図６に示す位置に保たれる。
【００５１】
上記した構成により、ハンドルレバー３１を上記圧縮コイルばねの弾力に抗して押し下げると、ハンドルレバー３１の動きに連動して可動ブロック２５が第２ブロックに向って下降する。
【００５２】
他方、図５及び図６に示すように、可動ブロック２５には治具３２が坦持されている。
【００５３】
この治具３２は、内筒におけるタンブラーＢと同数の上記整列板１７、１７を、先端の凹部を揃えた状態で、かつ相互に平行な位置関係を保って、タンブラーＢと同じ間隔で結合したものである。
【００５４】
そして、この字具３２は、上記ハンドルレバー３１と連動して下降する可動ブロック２５と一体的に下降し、内筒２３の天井部に形成された図示しない切欠部を挿通して内筒１６の図４における上端部に押し付けられる。
【００５５】
また、第２ブロック２２の前面には、半円形の切欠を２個所形成した押え板３３が図５で左右方向に移動可能に設けられており、この押え板３３は、その前面に突設された摘み３４により手指で動かすことができる。
【００５６】
上記のように構成された切替装置は、ロッキングバー案内溝１９をガイド棒２０に係合させた状態で内筒１６を内筒保持孔２３に押し込み、押え板３３を図５で左方に移動させてその下方の半円形の切欠をストッパーピン３５に突き当てると、押え板３３の上方の半円形の切欠が内筒の前方の小径段部を構成するキーガイドと係合し、このようにして内筒の長さ方向の位置が固定される。
【００５７】
このとき、内筒の鍵孔には鍵違い切替後合鍵となる鍵を差し込んでおくべきことは勿論で、その内筒を内筒保持孔２３に押し込むと、内筒の後端部が突出し棒２４(図６参照)を後方に押し出す(図示せず)。
【００５８】
この状態でハンドルバー３１を押し下げると、可動ブロック２５と一体的に治具３２が下降し、内筒の全タンブラーＢが対応する前記整列板１７によって押動されるので、前記したように内筒の全タンブラーＢの鍵違いの切替が一時に行われれる。
【００５９】
その後手を離せば、前記図示しない圧縮コイルばねの弾力により治具３２が上昇し、タンブラーＡの係合突起とタンブラーＢの係合凹部１１との新しい係合が固定され、このようにして可変レバータンブラー錠の鍵違いの切替が完了する。
【００６０】
切替が完了したら、押え板３３を図５で右方に移動させて内筒１６を自由にし、次いで突出し棒２４を図６で左方に移動させて内筒を排出する。
【図面の簡単な説明】
【００６１】
【図１】従来の可変タンブラー錠の鍵違い切替の説明のための拡大横断面図。
【図２】スイッチ部材による支軸の駆動機構を示す拡大外観斜視図で、常態を示す。
【図３】図２と同様のスイッチ部材による支軸の駆動機構を示す拡大外観斜視図で、変換ピンによりスイッチ部材を駆動した状態を示す。
【図４】本発明方法を説明するための図１と同様の可変タンブラー錠の拡大横断面図。
【図５】切替装置の正面図。
【図６】切替装置の側面図。
【符号の説明】
【００６２】
１  レバータンブラー
１Ａ  タンブラーＡ
１Ｂ  タンブラーＢ
２  支軸
３  偏芯軸
４  逃げ孔
５  合鍵
６  鍵溝
７  係合部
８  解錠切欠
９  係合突起
１１  係合凹部
１２  ロッキングバー
１３  変換ピン
１４  スイッチ部材
１５  スペーサリング
１６  内筒
１７  整列板
１８  凹部
１９  ロッキングバー案内溝
２０  ガイド棒
２１  第１ブロック
２２  第２ブロック
２３  内筒保持孔
２４  突出し棒
２５  可動ブロック
２６  ガイド板
２７  ガイド溝
２８  シーソーレバー
２９  駆動レバー
３１  ハンドルバー
３２  治具
３３  押え板
３４  摘み
３５  ストッパーピン
【図１】
2005036577.tif 000003
【図２】
2005036577.tif 000004
【図３】
2005036577.tif 000005
【図４】
2005036577.tif 000006
【図５】
2005036577.tif 000007
【図６】
2005036577.tif 000008